(57)【特許請求の範囲】
【請求項１】
底側に排水口と軸部を有する有底円筒状の排水容器と、
前記軸部が挿入される軸受け部と前記排水容器の内周面に面して設けられた多数の脱水孔を有し、前記排水容器内に回転可能かつ着脱可能に収納されるゴミかごと
を備えて構成され、
前記ゴミかごの外周面の高さ方向中央付近には、外側へ突出するフィンが周方向に複数設けられているとともに、
前記排水容器には、前記フィンに向かって水を噴出させるノズルが設けられている
ことを特徴とする生ゴミ脱水装置。
【請求項２】
前記ゴミかごの前記複数のフィンが連続する帯状の領域及びその周辺には前記脱水孔が形成されていないことを特徴とする請求項１に記載の生ゴミ脱水装置。
【請求項３】
前記排水容器の排水口は、前記ゴミかごの回転軌跡の接線方向に開口されていることを特徴とする請求項１または請求項２に記載の生ゴミ脱水装置。
【請求項４】
前記排水容器の上面には、
該排水容器の内周面と前記ゴミかごの外周面間の隙間を閉塞し得るリング状の周囲枠部材と、該周囲枠部材の内側に覆設される蓋部材とが着脱可能に設けられている
ことを特徴とする請求項１または請求項２または請求項３に記載の生ゴミ脱水装置。
【発明の詳細な説明】
【技術分野】
【０００１】
本発明は、遠心力により生ゴミ中の水分を脱水することのできる生ゴミ脱水装置に関するものである。
【背景技術】
【０００２】
従来、この種の生ゴミ脱水装置として、特許文献１に開示されているようなものが存在する。
この装置では、台所の流し台の中に配置された水切りかごの底部裏面に、複数の水受け羽根が設けられ、この水受け羽根に対して、水流噴出ノズルから噴出された高圧水流が当たるように構成して、高圧の水流によって水切りかごを回転させ、水切りかご内に収納された生ゴミの脱水を行うものとしている。
また、特許文献２に開示されている水切機では、流し台のシンク底部に設けられた外槽内に、モーターによって回転駆動される脱水槽を設け、この脱水槽の側壁外面の略中央には、複数のブレードからなる送風手段が設けられて構成され、脱水槽が回転すると、これに伴ってブレードによって外槽との間の空間に下向きの風が起生され、この風によって臭気を排出できるものとしている。
【先行技術文献】
【特許文献】
【０００３】
【特許文献１】特開平７−１６４９０号公報
【特許文献２】実開平３−５６６５３号公報
【発明の概要】
【発明が解決しようとする課題】
【０００４】
上記特許文献１に開示されている脱水装置では、水受け羽根と水流噴出ノズルが水切りかごの底面に設けられたものであるため、水切りかごから外側へ飛び散る生ゴミの脱水液が収容ケースの内周面に付着して、収容ケースの内周が汚れて不衛生になるという問題点があった。
また、上記特許文献２に開示されている水切機では、臭気を下方へ逃がすためのブレードが設けられているものの、このブレードは脱水槽に回転力を生じさせるためのフィンとは全く別の機能を有するものであった。
【課題を解決するための手段】
【０００５】
本発明は、ゴミかごを収納する排水容器の内周面が汚れにくく、しかも良好に生ゴミ中の水分を脱水できる生ゴミ脱水装置の提供を目的とし、この目的の少なくとも一部を達成するために以下の手段を採った。
本発明の生ゴミ脱水装置は、
底側に排水口と軸部を有する有底円筒状の排水容器と、
前記軸部が挿入される軸受け部と前記排水容器の内周面に面して設けられた多数の脱水孔を有し、前記排水容器内に回転可能かつ着脱可能に収納されるゴミかごと
を備えて構成され、
前記ゴミかごの外周面の高さ方向中央付近には、外側へ突出するフィンが周方向に複数設けられているとともに、
前記排水容器には、前記フィンに向かって水を噴出させるノズルが設けられている
ことを要旨とする。
【発明の効果】
【０００６】
本発明の生ゴミ脱水装置では、ノズルから噴出された水がフィンに当たり、これによりゴミかごが回転して、ゴミかご内の生ゴミの水分を遠心力により良好に脱水することができ、しかも、フィンに当たった水が作る旋回水流が排水容器の内周面を伝わり排水口から排水されるため、排水容器の内周面が良好に洗浄されて、排水容器の内周面に汚れが付着することがない。
【０００７】
また、本発明の生ゴミ脱水装置において、前記ゴミかごの前記複数のフィンが連続する帯状の領域及びその周辺には前記脱水孔が形成されていない構成とすることもできる。
こうすれば、ノズルからフィンに向かって水を噴出させる際に、噴出された水がゴミかご内部に侵入することがなく、ゴミかご内の生ゴミに水がかからなくなり、脱水効率が向上するものとなる。
【０００８】
また、本発明の生ゴミ脱水装置において、前記排水容器の排水口は、前記ゴミかごの回転軌跡の接線方向に開口されているものとすることもできる。
こうすれば、排水容器の内周面を伝わる旋回水流を速やかに排水口から排出させることができ、排水容器の底に水が溜まってゴミかごの回転の抵抗になるようなことがなく、ゴミかごを高速で回転させることができるものとなる。
【０００９】
また、本発明の生ゴミ脱水装置において、前記排水容器の上面には、該排水容器の内周面と前記ゴミかごの外周面間の隙間を閉塞し得るリング状の周囲枠部材と、該周囲枠部材の内側に覆設される蓋部材とが着脱可能に設けられている構成とすることもできる。
こうすれば、排水容器の上面にリング状の周囲枠部材を取り付けることで、排水容器の内周面とゴミかごの外周面間の隙間を塞ぐことができるため、生ゴミを確実にゴミかご内に入れることができ、隙間内に生ゴミが入ることが防がれる。また、蓋部材を取り付けることにより、ゴミかごの回転により飛び散る水の上方への飛散を防ぐことができるものとなる。
【図面の簡単な説明】
【００１０】
【図１】生ゴミ脱水装置を取り付けたキッチンキャビネットの概略正面構成図である。
【図２】生ゴミ脱水装置の外観斜視図である。
【図３】生ゴミ脱水装置の構成部材の分解斜視図である。
【図４】生ゴミ脱水装置の縦断面構成図である。
【図５】生ゴミ脱水装置を構成する排水容器の平面構成図である。
【図６】生ゴミ脱水装置を構成するゴミかごの正面構成図である。
【図７】生ゴミ脱水装置を水平面で切断した内部構造を示す平面構成図である。
【図８】生ゴミ脱水装置の排水容器内周での旋回水流の作用説明図である。
【発明を実施するための形態】
【００１１】
次に、本発明を実施するための形態を実施例を用いて説明する。
図１は、生ゴミ脱水装置を設けたキッチンキャビネットの正面概略構成図である。
キッチンキャビネット１には、シンク２とコンロ３が設けられており、シンク２上には水栓金具４が立設され、シンク２の底面には生ゴミ脱水装置５が取り付けられている。
水栓金具４に給水する給水管６には分岐したノズル管６ａが設けられ、ノズル管６ａはキッチンキャビネット１の上面側に設けた大気開放弁７を経由して生ゴミ脱水装置５に接続されている。
【００１２】
図２は、生ゴミ脱水装置の拡大外観斜視図であり、図３は、生ゴミ脱水装置の構成部材の分解斜視図である。また、図４は、生ゴミ脱水装置の縦断面図であり、図５は、排水容器の平面構成図であり、図６は、ゴミかごの正面構成図であり、図７は、生ゴミ脱水装置を水平面で切断した状態の平面構成図である。
【００１３】
生ゴミ脱水装置５は、シンク２の底面２ａに固設される上面が開放された有底円筒状の排水容器８と、この排水容器８内に回転可能かつ着脱可能に収納されるゴミかご１３と、排水容器８の上面に着脱可能に取り付けられる周囲枠部材１９と、この周囲枠部材１９の内側に覆設される蓋部材２０で構成されている。
【００１４】
排水容器８は、その上面にフランジ部８ａが形成され、このフランジ部８ａがシンク２の底面２ａに固定されるものである。フランジ部８ａの下方の内周には段部８ｂが形成されており、この段部８ｂから下方へ略垂直に延びて内周面８ｃが形成され、内周面８ｃの底側は底面８ｄとなっており、底面８ｄの中央部には上方へ一体状に盛り上げてボス部８ｅが形成されている。
この排水容器８の底面８ｄの位置から外側へ突出して排水口９が設けられており、この排水口９は排水容器の内周面８ｃの接線方向に開口されたものとなっている。
また、排水容器８のボス部８ｅには軸部材１２の下端が固定されて、ボス部８ｅから軸部材１２が上方へ向かって立設され、この軸部材１２で軸部が形成されている。
また、排水容器８には、ノズル支持部１０を介してノズル１１が取り付けられており、ノズル１１には前述したノズル管６ａが接続されるものである。
【００１５】
ゴミかご１３は図４，図６，図７に示すように、排水容器８内に隙間Ｓを形成させて回転可能に収納されるものであり、全体として上面側が開放された有底円筒状に形成されている。
ゴミかご１３の上端外周には外側へ突出して鍔部１３ａが形成され、この鍔部１３ａに指をかけて、ゴミかご１３は排水容器８内から着脱できるものである。
鍔部１３ａの下方には拡径部１３ｂが形成され、拡径部１３ｂの下方には、拡径部１３ｂよりも小径の外周面１３ｃが下方に向かって連続して形成され、外周面１３ｃの底側は略水平な底面１３ｄとなっている。
このゴミかご１３の外周面１３ｃおよび底面１３ｄには、多数の脱水孔１４，１４，１４が貫通形成されている。
【００１６】
また、ゴミかご１３の高さ方向中央付近には複数のフィン１５，１５，１５が周方向に間隔をおいて一体形成されている。この複数のフィン１５，１５，１５の周辺の外周面１３ｃには脱水孔１４は形成されていないものである。
各フィン１５は、外周面１３ｃから外側へ向かって径方向に延び、その外端に略９０°折曲されて鉤片１５ａが形成されたものである。なお、このフィン１５に、前記ノズル１１から噴出された水が当たるように、ノズル１１の先端の噴出口１１ａはフィン１５に向いている。
【００１７】
また、ゴミかご１３の底面１３ｄの中心部には、上方へ立ち上げて円筒状の軸受け部材１６が固設されており、この軸受け部材１６の下端にはガタつき防止部材１７が配置され、また、軸受け部材１６の上端には、上端側が閉止されたキャップ状の軸受けキャップ１８が固定されて、この軸受け部材１６，ガタつき防止部材１７，軸受けキャップ１８により軸受け部が形成されている。
この軸受け部を構成する軸受け部材１６，ガタつき防止部材１７，軸受けキャップ１８は摺動性の良い樹脂で形成されており、軸受け部材１６，ガタつき防止部材１７，軸受けキャップ１８内に、排水容器８側の軸部材１２が挿入されるものであり、軸部材１２が挿入されることで、ゴミかご１３は排水容器８内に回転可能に保持される。
【００１８】
周囲枠部材１９は、図３，図４に示すように、排水容器８の段部８ｂ上に載置されて、フランジ部８ａと面一状に排水容器８の上面に着脱可能に取り付けられるものであり、このリング状の周囲枠部材１９が取り付けられた状態では、周囲枠部材１９により、排水容器８の内周面８ｃとゴミかご１３の外周面１３ｃ間の隙間Ｓの上面が閉塞されるものである。
この周囲枠部材１９の内側には、一段低い位置に段部１９ａが形成されており、この段部１９ａ上に蓋部材２０が載置されて、蓋部材２０により排水容器８の上面が覆蓋されるものである。この蓋部材２０の上面中央部には、指で摘むことのできるツマミ２０ａが上方へ突出して設けられている。
【００１９】
このような生ゴミ脱水装置５は、シンクの底面２ａに固設された排水容器８に対し、ゴミかご１３を上方から内部に入れることができ、ゴミかご１３の軸受け部材，ガタつき防止部材１７，軸受けキャップ１８内に軸部材１２が挿入されることで、ゴミかご１３は排水容器８内に回転可能に安定した状態で保持されることとなる。
【００２０】
さらに排水容器８の上面に周囲枠部材１９を嵌め込んだ状態で、上方より生ゴミをゴミかご１３内に投入すると、周囲枠部材１９により隙間Ｓの上面は閉塞されているため、投入される生ゴミが隙間Ｓ内に入り込むことはなく、確実に生ゴミはゴミかご１３内に投入されることとなる。
ゴミかご１３内に生ゴミを入れた後に、蓋部材２０を周囲枠部材１９の内側に嵌め込んで、排水容器８の上面を蓋部材２０で塞いでおき、この状態でノズル１１の先端の噴出口１１ａから水を噴出させると、噴出された水は図７のようにゴミかご１３の外周のフィン１５に当たり、これによりゴミかご１３は回転を始める。
【００２１】
なお、ノズル１１の噴出口１１ａは、フィン１５に対し、先端の鉤片１５ａよりもゴミかご１３の外周面１３ｃ側に水を当てることができる角度に配置されており、ノズル１１の噴出口１１ａから噴出された水は各フィン１５の鉤片１５ａの内側に当たり、鉤片１５ａにより噴出された水の外側への飛散が防がれるため、噴出された水により効率良くゴミかご１３に回転力が付与されることとなる。
例えば、ゴミかご１３は毎分８００回転位の高速で回転されることとなり、この回転により遠心力が生じて、ゴミかご１３内の生ゴミの水分は遠心力により多数の脱水孔１４を通ってゴミかご１３の外側へ飛び散り、生ゴミが脱水されることとなる。この際に、蓋部材２０が取り付けてあるため、ゴミかご１３の回転により飛び散る水の上方への飛散を防ぐことができ、水や脱水液がシンク２内に飛散されることはない。
なお、脱水中はゴミかご１３は高速で回転されているため、ゴミかご１３内に侵入した水等は遠心力により脱水孔１４から外側へ飛び散ることとなるが、フィン１５，１５，１５の周辺のゴミかご１３の外周面１３ｃには脱水孔１４は形成されていないため、ノズル１１から噴出された水がゴミかご１３内に侵入することがなく、ゴミかご１３内の生ゴミに水がかからなくなり、脱水効率が向上して、ゴミかご１３内の生ゴミの水分を効率良く脱水できるものとなる。
【００２２】
ノズル１１から噴出された噴水はフィン１５に当たった後、旋回水流となって排水容器８の内周面８ｃに沿って旋回しながら流れ落ちることとなり、図８に排水容器８の内周での旋回水流を示す。
この旋回水流により排水容器８の内周面８ｃが良好に洗浄されて、生ゴミの脱水液等が内周面８ｃに付着することが防がれる。そのため、脱水液等が排水容器８の内周面８ｃに付着して内周面８ｃが汚れることがなく、衛生的に保持できるものとなる。
内周面１８ｃを良好に洗浄した旋回水流は底側の排水口９から速やかに排出されてゆく。なお、この排水口９は、ゴミかご１３の回転軌跡の接線方向に開口されているため、旋回水流はスムーズに外部に排出されてゆき、排水容器８の底面８ｄに水が溜まってゴミかご１３の回転の抵抗になるようなことがなく、ゴミかご１３を高速で回転させることができる。
【００２３】
なお、フィン１５は、ゴミかご１３の高さ方向中央付近に突設されており、この高さ位置にノズル１１が配置されているため、ノズル１１から噴出される水による旋回水流は排水容器８の内周面８ｃの上部部位まで達して、排水容器８の内周面８ｃの上下方向ほぼ全域を良好に洗浄できるものとなる。
【００２４】
なお、脱水が終った後は、蓋部材２０および周囲枠部材１９を取り外し、さらにゴミかご１３を取り外して、脱水の終った生ゴミをストレスを感じることなく廃棄処理することができるものである。
【符号の説明】
【００２５】
１  キッチンキャビネット
２  シンク
２ａ  底面
５  生ゴミ脱水装置
６ａ  ノズル管
８  排水容器
８ａ  フランジ部
８ｂ  段部
８ｃ  内周面
８ｄ  底面
８ｅ  ボス部
９  排水口
１０  ノズル支持部
１１  ノズル
１１ａ  噴出口
１２  軸部材
１３  ゴミかご
１３ａ  鍔部
１３ｃ  外周面
１３ｄ  底面
１４  脱水孔
１５  フィン
１５ａ  鉤片
１６  軸受け部材
１７  ガタつき防止部材
１８  軸受けキャップ
１９  周囲枠部材
１９ａ  段部
２０  蓋部材
【図１】
0005586311.tif 000002
【図２】
0005586311.tif 000003
【図３】
0005586311.tif 000004
【図４】
0005586311.tif 000005
【図５】
0005586311.tif 000006
【図６】
0005586311.tif 000007
【図７】
0005586311.tif 000008
【図８】
0005586311.tif 000009